Podtech/llm-jp-corpus-v4-ja_patent huggingface dataset:
(57)【要約】      （修正有）【課題】飲食店などで２人が向かい合う時に使用する持ち運び可能な飛沫感染予防グッズを提供する。【解決手段】持ち運び可能な飛沫感染予防グッズは、あらかじめ半分に折り畳めるように加工したポスターケース１（ポスターを丸めて宅配便などで配送する時に使うもの）を、ポスターケースの断面と同じ形状の穴を上蓋に開けた小箱２に差し込んだものを２塔、小箱２を下にしてテーブルなどに立て、上部から透明ポリ袋３をかぶせる。２人が向かい合う時にその間に置くことにより、新型コロナウイルスなどの飛沫感染を予防する。【選択図】図１
0003233645.tif 000002
【実用新案登録請求の範囲】
【請求項１】
長辺に折り目を付けて折り畳みできるようにしたポスターケース（ポスターを丸めて宅配便などで配送する時に使うもの）を、先述のポスターケースの断面と同じ形状の穴を上蓋に開けた小箱に差し込んだものを２塔、小箱を下にしてテーブルなどに立て、上部から透明ポリ袋をかぶせ、２人が向かい合う時にその間に置き、新型コロナウイルスなどの飛沫感染を予防するために使用する、持ち運び可能な飛沫感染予防グッズ
【考案の詳細な説明】
【技術分野】
【０００１】  本考案は、持ち運びできる新型コロナウイルスなどの飛沫感染予防グッズに関するものである。
【背景技術】
【０００２】  飲食の場で２人が向かい合う場合、飲食していない時のみ、マスクを着用していた。あるいは、フェイスシールドやうちわなどを使用していた。あるいは、何の器具も使用していなかった。
【考案の概要】
【考案が解決しようとする課題】
【０００３】  ２人が向かい合って飲食する場合、レストランなどの店舗では、互いに向かい合う相手の見える状態でのアクリル板の設置は必ずしも進んでおらず、また、飲食時は常時マスクを着用することも物理的に不可能であり、感染リスクが一定程度以上発生している。
【課題を解決するための手段】
【０００４】  本考案は、レストランなどの店舗において、向かい合う２人の間にアクリル板が設置されていない場合でも、互いに相手の見える状態で飛沫感染を予防することができる。
【考案の効果】
【０００５】  向かい合う２人の間に本考案の飛沫感染予防グッズを置くことで、互いに相手の見える状態で飛沫感染を予防でき、また、折り畳み式のため、容易に持ち運びでき、飲食の場で、手軽に感染リスクを低減させることができる。
【図面の簡単な説明】
【０００６】
【図１】本考案の飛沫感染予防グッズを、使用できる状態に立てたものである。
【図２】本考案の飛沫感染予防グッズを、分解した状態である。
【考案を実施するための形態】
【０００７】  折り畳んだポスターケース２本を広げて組み立て、上蓋にポスターケースの断面と同じ形状の穴の開いた小箱に差し込み、塔状になったものを、小箱を下にしてテーブルなどに立て、上部から透明ポリ袋をかぶせ、向かい合う２人の間に置いて使用する。
【実施例】
【０００８】ポスターケースは、ダンボール製の既製品もしくは既製品に改変を加えたものを使用でき、両端の蓋がなくても良い。小箱は、ダンボール製の既製品の上蓋に、ポスターケースの断面と同じ形状の穴を開ける。持ち運びを快適にして、なお且つ飛沫感染予防の効果を得るために、ポスターケースを２つ折りにした場合の長さは、Ａ４サイズよりも一回り大きいマチ付き封筒に入る程度が良い。また、小箱の高さは、一般的には高いほど安定が良いが、郵便等で遠方に送ることを想定して、使いやすさを考え、ポスターケースは２つ折りにして、小箱は折り畳まず、いずれも同じマチ付き封筒に入れた時、クリックポストの最大寸法（長さ３４ｃｍ、幅２５ｃｍ、厚さ３ｃｍ）以内に収まるものが望ましい。透明ポリ袋は、使用後は基本的に使い捨てすることになるが、４５Ｌのものが広く市販されていて、入手が容易であり、大きさも適切であり、飛沫感染予防に活かすことができる。
【産業上の利用可能性】
【０００９】  大量生産して、多くの人の知るところになれば、一定数以上の購入者が発生することも考えられ、社会全体の新型コロナウイルスなどの飛沫感染予防効果が得られるものと考えられる。
【符号の説明】
【００１０】１  ポスターケース
１ａ  ポスターケースに付けた折り目
２  小箱
２ａ  小箱に開けた穴
３  ポリ袋
【図１】
0003233645.tif 000003
【図２】
0003233645.tif 000004
(57)【要約】      （修正有）【課題】人の座骨の形状、臀部の形状に適合した形、高さになり、椅子と臀部との体圧が分散される座布団を提供する。【解決手段】座布団は、二枚の裁断された生地を縫い合わせる縫い目２〜４を施すことで四室を形成し、短く切ったパイプ状素材粒状素材の中材を充填し、さらに一枚の裁断された生地を縫い付け、一室を形成し、綿、ウレタン樹脂、立体型糸状素材等を充填することで、人体の骨格に適応した凹凸を作る。【選択図】図２
0003233652.tif 000002
【実用新案登録請求の範囲】
【請求項１】
二枚の生地を縫い合わせ曲線ステッチが施された中にパイプ状と粒状の充填材が入った袋に、さらに一枚の生地を縫い付け板状の充填材を入れた複数素材により形成された座布団。
【考案の詳細な説明】
【技術分野】
【０００１】本考案は椅子に座った時、臀部を安定的に支え身体全体への負担を軽減する。
【背景技術】
【０００２】座布団の素材は綿、ウレタン樹脂、立体型糸状素材など単一材料により作成された物が開示されている。
【考案の概要】
【考案が解決しようとする課題】
【０００３】一般的に古来より製造販売されている座布団は中央部分が高く中央部分より離れるほど低くなり、特に四隅の角部分は低くなる又は全面が平面の為骨格、筋肉を考慮した安定的に臀部を支える機能をはたしていないことが多々ある。
【課題を解決するための手段】
【０００４】請求項１に記載の考案は、裁断された二枚の生地を縫い合わせ袋状にしたのち三本の曲線縫い目と二本の直線縫い目を施し区分された四室に短く切ったパイプ、粒状の中材を充填する
さらに裁断された一枚の生地を縫い合わせて綿、ウレタン樹脂  立体型糸状素材などを充填した後中材が流出しないように縫製を施した座布団である。
【考案の効果】
【０００５】座布団に使用されている生地に、曲線と直線の縫い目を施すことと流動する短く切ったパイプと粒状の中材により部分ごとに厚みが変わり人の座骨の形状、臀部の形状に適合した形、高さになり椅子と臀部との体圧が分散される。
【図面の簡単な説明】
【０００６】
【図１】二枚の裁断された周りに縫製を施した図。
【図２】三か所の曲線縫い目と二か所の直線縫い目を施した図。
【図３】区分された四室に短く切ったパイプと粒状の中材を充填した図。
【図４】さらに一枚の生地を縫い付け中材が流出しないよう縫製を施した図。
【図５】短く切ったパイプと粒状の中材が充填された内部を模した図。
【符号の説明】
【０００７】［図１］
１布の周りの縫製
［図２］
２，３，４曲線の縫い目
５，６直線の縫い目
【図１】
0003233652.tif 000003
【図２】
0003233652.tif 000004
【図３】
0003233652.tif 000005
【図４】
0003233652.tif 000006
【図５】
0003233652.tif 000007
(57)【要約】      （修正有）【課題】医療現場で医師が医療用接着剤を使用する際、一定時間皮膚を寄せた状態を保つ時間ロスをなくすことができる接着テープを提供する。【解決手段】基材１、粘着剤２、フィルム３、セパレータ４の積層よりなる、短辺が同じ幅である医療用接着剤と併用する粘着テープであって、基材が半透明のポリエチレンフィルムで中央に位置するフィルムは着色であり、粘着テープ貼付の際に目印となる。フィルム層を備えた粘着テープは一定以上の強度をもち、５％引張強度が１.０Ｎ／１２ｍｍ以上である。粘着テープの中央に位置する着色フィルムは、医療用接着剤を適度に塗り広げられ、塗布された医療用接着剤を皮膚に転写できる濡れ性をもつ。【選択図】図１
0003233656.tif 000002
【実用新案登録請求の範囲】
【請求項１】
基材、粘着剤、フィルム、セパレータの積層よりなる、短辺が同じ幅であることを特徴とする医療用接着剤と併用する粘着テープである。
【請求項２】
前記基材が半透明のポリエチレンフィルムで中央に位置するフィルムは着色であり、粘着テープ貼付の際に目印となることを特徴とする、請求項１記載の粘着テープ。
【請求項３】
前記フィルム層を備えた粘着テープは一定以上の強度をもつ。その力は、５％引張強度が１.０N/１２ｍｍ以上の請求項１又は請求項２記載の、粘着テープである。
【請求項４】
前記粘着テープの中央に位置する着色フィルムは、医療用接着剤を適度に塗り広げられ、塗布された医療用接着剤を皮膚に転写できる濡れ性をもつ、請求項１、２又は請求項３記載の、粘着テープ。
【考案の詳細な説明】
【技術分野】
【０００１】
本考案は、粘着テープとその中央に位置するフィルムに関する。更に詳しくは、基材、粘着剤、フィルムおよびセパレータの全てが同じ短辺幅となる粘着テープに関する。
【背景技術】
【０００２】
粘着テープはセロハンテープやクラフトテープを初めとして、一般家庭、オフィス、生産現場や医療現場で広く利用されている。その中で、基材、粘着剤層、フィルム層又はパッド層、セパレータがこの順で積層されて構成される粘着テープがある。中でも医療用途の粘着テープは、パッド層を有する場合が多くみられる。
【０００３】
一方、医療用接着剤は手術等の医療現場で用いられるほか、あかぎれや小さな切り傷の治療として一般的にも使用されている。医療現場で用いられる場合、指や鉗子などで、一定の力をかけ皮膚を寄せた状態を保つ必要がある。
【先行技術文献】
【特許文献】
【０００４】
【特許文献１】特開２０１３-３２４７０
【考案の概要】
【考案が解決しようとする課題】
【０００５】
しかし、医療現場で医師が医療用接着剤を使用する際、一定時間皮膚を寄せた状態を保つことは時間ロスにつながる。
【課題を解決するための手段】
【０００６】
一定以上の強度をもつ粘着テープであれば、一定時間皮膚を寄せた状態を保つことができる。
【０００７】
また、粘着テープのフィルム層に医療用接着剤を塗布し、その粘着テープを皮膚に貼付し、一定時間置くことで医療用接着剤を皮膚に転写することができる。フィルムには、医療用接着剤の適度な塗り広げやすさも必要となる。
【考案の効果】
【０００８】
本考案によれば、医師が医療用接着剤をフィルム層を有する粘着テープに塗布し、皮膚を寄せながら粘着テープを貼付し、一定時間後に除去することで医師の時間ロスをなくし、容易に創を閉鎖することができる。
【図面の簡単な説明】
【０００９】
【図１】本考案の実施例を示す粘着テープの断面図である。
【図２】図1に示すものをミシン目で折り曲げた断面図である。
【考案を実施するための形態】
【００１０】
図１は、本考案の実施例であるが、粘着テープは、基材である半透明ポリエチレンフィルム、粘着剤層、着色ポリエチレンフィルム層、セパレータの順に積層されている。
【００１１】
基材である半透明ポリエチレンフィルムは、適度な柔軟性と強度があり、皮膚を固定する医療用粘着テープの基材として好ましい。
【００１２】
フィルム層を備えた粘着テープには一定以上の強度が必要となる。その時の力は、５％引張強度が１.０N/１２ｍｍ以上である。
【００１３】
中央にあるフィルムの濡れ性を40mN/m未満とすることで、医療用接着剤のフィルムへの適度な広がりやすさと皮膚への転写を可能にする。特に30mN/m程度が好ましい。
【００１４】
中央にあるフィルムの医療用接着剤を塗布しない面、粘着テープ面については、粘着テープからはずれにくいよう濡れ性を40mN/m以上が好ましい。
【００１５】
また、セパレータにミシン目があることで、フィルム層を曝露しやすくなり、医療用接着剤を塗布しやすい仕様となる。ミシン目の位置は中央の着色フィルムから1〜3mm離れた場所にある。
【００１６】
半透明と着色のフィルムを合わせることにより、粘着テープ貼付の際に目印となり、創部を狙いやすい効果が見込まれる。
【実施例】
【００１７】
半透明のポリエチレンフィルムを基材として、アクリル系粘着剤を用い、中央には白色のポリエチレンフィルムを使用する。セパレータは2枚使用し、それぞれ中央の白色フィルムから1〜3mm離れた場所にミシン目を入れる。このミシン目からセパレータを折ることにより、中央の白色フィルムが大きく曝露され、医療用接着剤を容易に塗布することができるようになる(図２参照)。
【００１８】
比較例として、ミシン目がない場合は接着剤塗布にセパレータが邪魔になり、簡易操作が難しい状況となった。
【産業上の利用可能性】
【００１９】
本考案によれば、医師が医療用接着剤をフィルム層を有する粘着テープに塗布し、皮膚を寄せながら粘着テープを貼付し、一定時間後に除去することで医師の時間ロスをなくし、容易に創を閉鎖することができる
【符号の説明】
【００２０】
１  基材
２  粘着剤
３  着色フィルム
４  セパレータ
５  ミシン目
【図１】
0003233656.tif 000003
【図２】
0003233656.tif 000004
(57)【要約】      （修正有）【課題】織物工場で発生する不良品や端切れのナイロン生地をゆかたの素材として利用し使用者の洗濯、アイロンなどの負担を軽減し、ファッション性を向上したポケッタブルゆかたを提供する。【解決手段】従来の綿素材やポリエステルなどの化学繊維素材をナイロンの薄くて透ける素材に変え、撥水加工を施すことによりシミやシワを無くし家庭での洗濯が容易になりアイロンがけが不要になる。小さく畳める素材なので家庭内の保管場所や販売時の展示スペースを小さくすることができ、持ち運びも簡単にできる。薄くて透ける素材は重ね着をすることができ、コーディネートのバリエーションが豊富になりファッションを楽しむことができる。【選択図】図１
0003233168.tif 000002
【実用新案登録請求の範囲】
【請求項１】
ナイロンの織物工場で発生する不良品や端切れを使用した小さく畳むことができポケットに入れて運ぶことができるゆかた。
【考案の詳細な説明】
【技術分野】
【０００１】本考案は、織物工場で発生するナイロン素材の不良品や端切れで、小さく畳むことのできる素材を使うことで持ち運びが容易にできるゆかたに関するものである
【背景技術】
【０００２】従来のゆかたは綿素材又はポリエステルなどの化学繊維素材が使われている。
【考案の概要】
【考案が解決しようとする課題】
【０００３】綿素材のゆかたは、急な雨などで濡れてしまうとシミやシワになり、家庭洗濯やアイロンがけに手間がかることや畳み方が難しいなど使用者にとっての負担がかかる。また、撥水性のあるポリエステルなどの化学繊維素材はシミ、シワになりにくいという利点があっても畳んだ時にかさばるため収納するためのスペースや販売時においても多くの展示スペースを必要としている。
【課題を解決するための手段】
【０００４】本考案は薄くて透けるナイロン生地を使用し撥水加工を施すことで問題を解決しようとするものである。
【考案の効果】
【０００５】  本考案のポケッタブルゆかたはナイロン素材に撥水加工をすることでシミやシワの心配がなく家庭洗濯が容易になり、アイロンがけが不要になることで使用者の負担を軽減できる。小さく畳める素材なので家庭内の保管場所や販売時の展示スペースを小さくすることができ、持ち運びも簡単にできる。薄くて透ける素材は重ね着をすることができ、コーディネートのバリエーションが豊富になりファッションを楽しむことができる。
このような効果は、浴衣を着る人口が減少する一方の和装業界において需要喚起を促し、伝統文化の継承に寄与することができる。また、織物工場から出る不良品や端切れを使用することで大量廃棄問題にも貢献できる。
【図面の簡単な説明】
【０００６】
【図１】  本考案のポケッタブルゆかたの正面図である。
【図２】  本考案のポケッタブルゆかたの背面図である。
【図１】
0003233168.tif 000003
【図２】
0003233168.tif 000004
(57)【要約】      （修正有）【課題】着用後の洗濯やアイロンがけの負担を軽減し、１年を通して着用できるゆかたを提供する。【解決手段】ゆかたは、丸編み生地を使用する。編み生地を使用することで、その特性である伸縮性を活かし柔らかな着心地になり、従来の布帛生地に比べシワになりにくいことから着用後の洗濯が容易になり、アイロンがけも容易または不必要にできることで使用者の負担が軽減できる。編み組織を変えたり、獣毛の混用で夏以外にも着ることができる。【選択図】図２
0003233167.tif 000002
【実用新案登録請求の範囲】
【請求項１】
丸編み生地を使用し、編み生地の伸縮性を活かしたゆかた。
【考案の詳細な説明】
【技術分野】
【０００１】本考案は、丸編み生地を使用したゆかたに関するものである。
【背景技術】
【０００２】ゆかたは、布帛の一枚布による成型でクッション性に乏しい生地を使用し、夏のみに着用されていた。
【考案の概要】
【考案が解決しようとする課題】
【０００３】布帛生地は、着心地が硬く動き難く、夏のみに着用している。また、着用後の家庭洗濯、アイロンがけや難しい畳み方は使用者の時間的、労働的な負担が伴う。
【課題を解決するための手段】
【０００４】本考案は、従来の布帛生地では得られない編み生地の特性である伸縮性を活かし、天然素材である綿を主繊維素材とし図２の両面編みや図３の平編みといった生地組織を変えたり、獣毛の混用をすることにより問題点を解決している。
【考案の効果】
【０００５】本考案のカットソーゆかたは、編み生地の特性である伸縮性で柔らかな着心地になり、使用者の負担であった洗濯やアイロンがけを容易にしたり不要にすることができる。使用者の負担軽減は、浴衣を着る人口が減少する一方の和装業界において需要喚起を促し、伝統文化の継承に寄与することができる。季節により編み組織を変えることで１年を通して着用できる。
【図面の簡単な説明】
【０００６】
【図１】  本考案のカットソーゆかたの正面図である。
【図２】  本ゆかたの実施例を示す生地組織である。
【図３】  本ゆかたの実施例を示す生地組織である。
【図１】
0003233167.tif 000003
【図２】
0003233167.tif 000004
【図３】
0003233167.tif 000005
(57)【要約】      （修正有）【課題】猫の敷地への侵入を防ぐプラスチック製の曲がる筒を提供する。【解決手段】直径２〜５ｃｍ、長さ２０ｃｍ以上で、棒状でプラスチック製の曲がる筒１である。紐や針金で、塀や垣根に曲げた状態で固定することにより、猫は、この様な物が垣根や塀に固定すると、嫌なのがいるなと、近づかない。これを何か所かに置けば、猫の侵入を阻止出来る。【選択図】図１
0003233162.tif 000002
【実用新案登録請求の範囲】
【請求項１】
棒状で多重に曲がった状態を維持でき事を特徴とするオブジェ。
【考案の詳細な説明】
【技術分野】
【０００１】  本考案は、猫が敷地へ侵入するのを防ぐ事に関するものである。
【背景技術】
【０００２】  水入りペットボトル、臭い、超音波、突起のある網、全て猫が敷地へ入るのを防ぐ事は出来なかった。そこで、猫がキュウリに驚く事を利用したものである。
【考案の概要】
【考案が解決しようとする課題】
【０００３】  猫は敷地に入り、自由に動き回り、排泄をする。この迷惑行為をさせないために、猫が敷地に入らないようにする事。
【課題を解決するための手段】
【０００４】  本考案は、棒状で直径２〜４ｃｍ、長さ２０ｃｍ以上の曲がった物を針金や紐で，木や地面に固定する。曲がっている事により、自然には存在しない。猫は、キュウリより嫌がり、避けたくなるようにすることである。
【考案の効果】
【０００５】  猫は見える範囲で避けて近づかない。広い範囲をカバーでき、効率が良い。
【図面の簡単な説明】
【０００６】
【図１】針金によって曲がりを維持する物。
【図２】一部又は全体が蛇腹の棒状の物。
【図３】多方向に曲げて垣根に取り付けた場合。
【考案を実施するための形態】
【０００７】  直径２〜５ｃｍ、長さ２０ｃｍ以上で、棒状で多重に曲げた状態を維持出来る物。筒状のプラスチックでよい。」
【実施例】
【０００８】  以下、添付図面に従って一例を説明する。１は、曲げて成形されていないか又は、蛇腹の無い物の曲げを針金によって維持する物。曲げて成形されていれば中の針金は要らない。人が見て、一瞬、蛇と勘違いするように設置する事。人は直ぐに作り物と分かる。
【符号の説明】
【０００９】    １  曲げを形成してない物で、針金によって曲げられる筒状の物である。
２  一部又は全体に蛇腹がある筒状の物。
３  針金
４  針金又は紐
５  蛇腹
６  垣根
【図１】
0003233162.tif 000003
【図２】
0003233162.tif 000004
【図３】
0003233162.tif 000005
【手続補正書】
【提出日】令和3年3月25日(2021.3.25)
【手続補正１】
【補正対象書類名】実用新案登録請求の範囲
【補正対象項目名】全文
【補正方法】変更
【補正の内容】
【実用新案登録請求の範囲】
【請求項１】
プラスチック製の直径２ｃｍ以上、長さ２０ｃｍ以上の筒状の物で、紐や針金で、塀や垣根に曲げた状態で固定する事により，オブジェに見え，それが猫侵入防止になる事が特徴のプラスチック製の曲がる筒。
(57)【要約】      （修正有）【課題】雨傘や日傘の柄としては勿論、コロナ禍において、不特定多数の方々が触れる部分に、柄を介して操作でき、接触部分に導電材料を付けることにより、タッチパネル等への入力も可能になり、自身を支えるのと同様に荷物を掛けておくこともできる多機能の傘の柄を提供する。【解決手段】傘の柄の部分に、突起１を取り付けることにより、その突起部分を介して、自動ドアやエレベータのボタン操作を可能にした。また、突起部分に導電材料を付けることにより、タッチパネル等への入力も可能にした。さらに、傘の柄の背２に荷物を掛けたり、いくつかの荷物を寄せたりもできるようになる。また、手摺やつり革等に柄の腹の部分を掛け、直接つり革等に触れないで、自身を安定することもできる。【選択図】図１
0003233161.tif 000002
【実用新案登録請求の範囲】
【請求項１】
傘の柄の部分に突起をつけ、エレベータのボタンや自動ドアの開閉スイッチを押すことができる機能を付けた多機能柄。
【請求項２】
前期突起部分に導電体を付けることにより、タッチパネル等への入力ができる請求項１に記載の多機能柄。
【請求項３】
かばんや荷物等を掛けることができる請求項１および請求項２に記載の多機能柄。
【考案の詳細な説明】
【技術分野】
【０００１】  本考案は、傘の柄に突起をもうけることにより、この柄を介して、間接的に多機能な操作ができるようにしたものである。【０００２】  また、突起に導電体を付けることにより、タッチパネル等の入力も可能である。
さらに、傘の柄の背を使って、自身を支えることや荷物等を柄に掛けておくこともできる。
【背景技術】
【０００３】  従来、傘の柄は、持ったり掛けたりする時の使い勝手のため、Ｊ字型のものが多い。しかし、コロナ禍において、不特定多数の方の触れる箇所への、この型の傘の柄を介しての操作は難しい。自動ドアの開閉スイッチやエレベータのスイッチ操作はしづらい。ましてや、タッチパネル等への入力もできない。さらに、荷物等を柄に掛けておくこともできない。
【先行技術文献】
【特許文献】
【０００４】
【特許文献１】特開平１１−３０９００６号  公報
【考案の概要】
【考案が解決しようとする課題】
【０００５】  コロナ感染の現状で、不特定多数の方が触れるところの自動ドアやエレベータのボタン等を、Ｊ字型の傘の柄で操作することは難しい。同様に、タッチパネル等への入力もできない。また、柄の背の部分で、荷物やカバン等を掛けることもできない。
本考案は、以上のような問題点を効果的に解決することを目的とする。
【課題を解決するための手段】
【０００６】  本考案は、傘の柄の部分に、突起を取り付けることにより、その突起部分を介して、間接的に自動ドアやエレベータのボタン操作を可能にした。また、突起部分に導電材料を付けることにより、タッチパネル等への入力も可能になる。【０００７】  長時間荷物を持ったり、両手をふさいでいる複数の荷物をまとめたりできるように、傘の柄の背なかで、荷物を掛けたり、荷物を寄せたりできるようにした。
なお、手摺や吊革等へも、柄を介して自身を安定することができる。以上のことで問題を解決している。
【考案の効果】
【０００８】  上述のように、本考案の多機能柄は雨傘や日傘の柄としては勿論、コロナ禍において、不特定多数の方々が触れる部分に、柄を介して操作できるようにしたものである。また、接触部分に導電材料を付けることにより、タッチパネル等への入力も可能になる。さらに、自身を支えるのと同様に荷物を掛けておくこともできる多機能の傘の柄である。
【図面の簡単な説明】
【０００９】
【図１】本考案の多機能柄の一実施例を示す斜視図である。
【図２】本校案の多機能柄の正面図である。
【図３】本多機能柄の平面図である。
【図４】本多機能柄の左側面図である。
【図５】本多機能柄の右側面図である。
【考案を実施するための形態】
【００１０】  以下、本考案を実施するための形態について説明する。
傘の柄のＪ字型の湾曲部分の両端に突起（１）、（３）をつける。（１）、（３）を繋げるように、そりを付けて背の部分（２）でつなげる。（２）の部分は、重い荷物もかけられるように反り返るようにする。
【００１１】  突起（１）を指先のような形状にする。タッチパネル等を操作するとき、タッチしやすいように少し先端を小さくしておく。
本考案は、以上の様に構成された構造に限定されず、各部の形状や材質等を種々のものに変更して構成しても良い。
【符号の説明】
【００１２】１  指型の突起（導電材料の取付可能）
２  柄の背
３  大き目の突起
４  柄の腹
【図１】
0003233161.tif 000003
【図２】
0003233161.tif 000004
【図３】
0003233161.tif 000005
【図４】
0003233161.tif 000006
【図５】
0003233161.tif 000007
【手続補正書】
【提出日】令和3年4月5日(2021.4.5)
【手続補正１】
【補正対象書類名】実用新案登録請求の範囲
【補正対象項目名】全文
【補正方法】変更
【補正の内容】
【実用新案登録請求の範囲】
【請求項１】
傘の柄のＪ字型の湾曲の両端に、柄と同じ材料で少し先端を小さくした指先のような形状の突起をつけ、不特定多数の方が触れるエレベータのボタンや自動ドアの開閉スイッチを押すことができる機能を付けた多機能柄。
【請求項２】
前記の指先のような形状の突起部分に導電体を付け、導電体に触りながら、タッチパネルに触れることにより入力ができる請求項１に記載の多機能柄。
【請求項３】
傘の柄のＪ字型の湾曲の両端につけた突起を、そりを付けて背の部分を繋げることにより、かばんの取っ手や荷物の吊りひもが柄から滑り落ちることなく保持でき、そこを握ることにより、自身を支えることができる請求項１又は請求項２に記載の多機能柄。
(57)【要約】      （修正有）【課題】フェースシールドを掴むことなく突起の押し下げで開閉できるフェースシールドマスクを提供する。【解決手段】透明なプラスチックのお面を湾曲形成したフェースシールドマスクであって、当該フェースシールドマスクは、固定された湾曲なお面１１と、該固定されたお面１１に対し開閉できるお面１０とからなっている。【選択図】図１
0003233160.tif 000002
【実用新案登録請求の範囲】
【請求項１】
透明であるプラスチック材であり、顔面を覆うお面として装着している。
飛沫を防ぐことができ、会話の時簡単に指で開閉できる、フェイスシールドマスクである。
【考案の詳細な説明】
【技術分野】この考案は、飛沫感染を防ぐためのフェイスシールドマスクに関する案。
【背景技術】一般にフェイスシールドは透明でプラスチックシート材でなり、従来は、おもちゃのお面として使うものだがお面をはずすことなく、お互いの飛沫を防ぐことができる。
【考案の概要】
【考案が解決しようとする課題】喫茶店、食事、会議などで、お茶を飲みながら会話する時に、すぐに開閉ができ、飛沫を防ぐようにする事ができる。
【課題を解決するための手段】透明であるプラスチック材であり、顔面を覆うお面として装着している。
飛沫を防ぐことができ、会話の時簡単に指で開閉できる、フェースシールドである。
【考案の効果】フェイスシールドを掴むことなく突起の上下で開閉できる、マスクをつけたりはずしたり面倒なことをせず、本体の開閉だけでよい。
【図面の簡単な説明】
【図１】顔にフェイスシールドお面を着けた状態
【図２】飲食をするために、お面をあげた状態
【図３】フェイスシールドお面の正面図
【図４】フェイスシールドお面の本体とさしこみ部分を表わす図
【考案を実施するための形態】
透明なプラスチック材で顔面を覆うお面として装着されている
飛沫を防ぐことができ会話の時簡単に指で開閉できる、フェースシールドマスクである。
【実施例】［図１］
透明なプラスチックお面であって湾曲に形成されている。
お面は固定された湾曲なお面１１と開閉できるお面１０とからなっている
このお面は人の顔にゴムヒモ１３、を使って固定されている。
［図２］
飲食する時に、突起１２を手で開閉できお面１０をもちあげる
開閉できるお面１０は、湾曲お面１１とかさなるようもちあげられいる。
［図３］
湾曲なお面１０に空気穴をもうけて息をしやすくするようにした
［図４］はフェイスシールド本体１５にさしこみ部分１６をさしこんで開閉できるようにした例である
【符号の説明】▲１０▼  開閉するお面
▲１１▼  湾曲なお面
▲１２▼  突起
▲１３▼  ゴムヒモ
▲１４▼  空気穴
▲１５▼  本体
▲１６▼  さしこみ部分
【図１】
0003233160.tif 000003
【図２】
0003233160.tif 000004
【図３】
0003233160.tif 000005
【図４】
0003233160.tif 000006
【手続補正書】
【提出日】令和3年4月2日(2021.4.2)
【手続補正１】
【補正対象書類名】実用新案登録請求の範囲
【補正対象項目名】全文
【補正方法】変更
【補正の内容】
【実用新案登録請求の範囲】
【請求項１】
透明なプラスチックのお面を湾曲形成したフェースシールドマスクであって、当該フェースシールドマスクは、固定された湾曲なお面１１と、該固定されたお面１１に対し開閉できるお面１０とからなっていることを特徴とするフェースシールドマスク。
(57)【要約】      （修正有）【課題】テーブルなどにお茶などが滴下することがなく、場所を取らず、使い終わったティーバッグを置け、コストが安いティーバッグホルダーを提供する。【解決手段】ティーバッグホルダーは、中央のドリップ貯め３、底の足２、ドリップ貯め３から上方に広がる左右一対の羽根１が樹脂により一体成型される。使い終わったティーバッグをカップの上で絞り、その後そのまま保持できる、絞り機能の付いたティーバッグホルダーであり、指で簡単につまめる絞り羽根１で絞ったお茶などはそのままカップ内に落とし、液体の切れた後はそのままテーブル上に置くことができる。【選択図】図１
0003233133.tif 000002
【実用新案登録請求の範囲】
【請求項１】
抽出したティーバッグを絞って置くことのできるティーバッグホルダー
【考案の詳細な説明】
【技術分野】
【０００１】
茶器、テーブルウェアなどに関する分野です。
【背景技術】
【０００２】
毎日の生活に欠かせない飲み物として紅茶や緑茶などの飲み物があります。多人数であればティーポットなどを使いますが、一人などの場合は簡単に抽出できるティーバッグが使われることが多い。
【考案の概要】
【考案が解決しようとする課題】
【０００３】
ティーバッグを使い終わった後にティーカップから取り出し、置き場所に困ることがある。またお茶などがいつまでもポトポト落ちるために、テーブルを汚したりすることもある。単純な皿や容器はいろいろあるが、場所を取らず使いやすいものがなかった。
【課題を解決するための手段】
【０００４】
そこで使い終わったティーバッグをカップの上で絞り、その後そのまま保持できる、絞り機能の付いたティーバッグホルダーを考案した。指で簡単につまめる絞り羽根と本体は一体化した樹脂で作られており、絞ったお茶などはそのままカップ内に落とし、液体の切れた後はそのままテーブル上に置くことができる。少し残ったものはそのまま下部の受け皿部分に溜りテーブルにこぼれることはない。使い方としては、カップ上でティーバッグを持ち上げて、このティーバッグホルダーで受け、その場で絞ってお茶などを切り、あとはテーブルの上に立てて置くだけで縦型なので場所も取らない
【考案の効果】
【０００５】
カップの上で絞れるため、テーブルなどにお茶などが滴下することがない。また水分を切っておけば2杯目などに再利用も可能である。その場合も水分が少ないので温度が下がるのも防げる。何よりも場所を取らずすっきりと使い終わったティーバッグを置くことができる。また一体成型でコストも非常に安くできる。
【図面の簡単な説明】
【０００６】
【図１】ティーバッグホルダー外観図
【産業上の利用可能性】
【０００７】
ティーバッグは世界中で毎日使われており、同じような悩みを持っている人が多い。安価で便利な製品は１００円ショップに見られるように普遍的に普及する可能性があり、世界的な市場も考慮すれば非常に大きな発展性があると思います。
【符号の説明】
【０００８】
１  間に置いたティーバッグを絞る羽根
２  絞った後のドリップを貯める場所
３  転倒しないための足
【図１】
0003233133.tif 000003
【手続補正書】
【提出日】令和3年2月12日(2021.2.12)
【手続補正１】
【補正対象書類名】実用新案登録請求の範囲
【補正対象項目名】全文
【補正方法】変更
【補正の内容】
【実用新案登録請求の範囲】
【請求項１】
上部に開いた羽根の間に抽出後のティーバッグを入れ、ティーカップの上で羽根の外側を指で挟むと、残ったティーバッグの液体分を絞り出すことができ、その後はそのままテーブルの上に置けば残った液体はドリップ貯めに落ちる構造の、抽出したティーバッグを絞って置くことのできるティーバッグホルダー 
【手続補正書】
【提出日】令和3年4月15日(2021.4.15)
【手続補正１】
【補正対象書類名】実用新案登録請求の範囲
【補正対象項目名】全文
【補正方法】変更
【補正の内容】
【実用新案登録請求の範囲】
【請求項１】
本考案は樹脂により羽根部分と中央のドリップ貯めおよび底の足が一体成型された製品で、上部に開いた羽根の間に抽出後のティーバッグを入れ、ティーカップの上で少し傾けて羽根の外側を指で挟むと、羽根がティーバッグを絞り残った液体分を絞り出すことができ、その後はそのままテーブルの上に置けば少し残った液体はドリップ貯めに貯まる構造でテーブルも汚さない、抽出したティーバッグを絞って置くことのできる、一目瞭然スタイルの見るだけで効能が理解できるティーバッグホルダーです
【手続補正書】
【提出日】令和3年5月21日(2021.5.21)
【手続補正１】
【補正対象書類名】実用新案登録請求の範囲
【補正対象項目名】全文
【補正方法】変更
【補正の内容】
【実用新案登録請求の範囲】
【請求項１】
本考案は中央のドリップ貯めおよび底の足、ドリップ貯めから上方に広がる左右一対の羽根が樹脂により一体成型された製品で、上部に開いた羽根の間に抽出後のティーバッグを入れ、ティーカップの上で少し傾けて羽根の外側を指で挟むと、羽根がティーバッグを絞り残った液体分を絞り出すことができ、その後はそのままテーブルの上に置けば少し残った液体はドリップ貯めに貯まる構造でテーブルも汚さない、抽出したティーバッグを絞って置くことのできる、一目瞭然スタイルの見るだけで効能が理解できる構造を有するティーバッグホルダーです
(57)【要約】      （修正有）【課題】良質な視界を確保し、不自由なく飲食ができ、飛沫による感染を防止する感染防止フェイスシールドを提供する。【解決手段】感染防止フェイスシールドは、頭部に着脱可能なリング１を嵌めて、リング１にアクリル板２を取り付ける。目の前のアクリル板２はそれを通して良好な視界が得られる位置とする。鼻先附近の高さでアクリル板２を外方に折り曲げ、口の前でコップ、箸やスプーンを使えるだけのスキマを空けるようにして下方に折り曲げ、会食飲食ができるようにした。【選択図】図１
0003233134.tif 000002
【実用新案登録請求の範囲】
【請求項１】
リングにアクリル板を取り付けアクリル板の途中を折り曲げて次に反対方向に折り曲げた感染防止フェイスシールド。
【考案の詳細な説明】
【技術分野】
【０００１】  この実用新案は、新型コロナウイルスを含む飛沫がフェイスシールドの内側に付着して拡散を防いで感染を防止する感染防止フェイスシールドに関するものである。
【背景技術】
【０００２】  顔の前にあるアクリル板が上下直線なので、コップを使ったり、箸やスプーンを使ったりするスキマが狭いので、会食や飲食が不自由である。またスキマを広げようとすると目とアクリル板が離れるほど焦点が定まらず、アクリル板を通して望む視界がぼやけて違和感を覚える。
【先行技術文献】
【実用新案文献】
【０００３】
【実用新案文献１】
【実用新案の概要】
【実用新案が解決しょうとする課題】
【０００４】  これは、次のような欠点があった。
従来、顔の前にあるアクリル板が上下直線で、コップを使ったり、箸やスプーンなどを使ったりする会食や飲食するスキマが狭いのである。
本実用新案は、以上のような欠点をなくすために、なされたものである。
【課題を解決するための手段】
【０００５】  人間の頭部に着脱可能なリングにアクリル板を取り付け、人間の鼻先ぐらいの高さで外方に折り曲げ、そしてコップ，箸やスプーンが不自由なく使えるスキマを確保しておいて、下方に折り曲げる。口よりおおむね１０〜１５ｃｍ下方に伸ばす。また、円周は側面の後方まで伸ばす。
本実用新案は、以上の形状からなる感染防止フェイスシールドである。
【実用新案の効果】
【０００６】  目の前のアクリル板は目から適切な距離にして、アクリル板を通して良質な視界を確保し、鼻先ぐらいの高さで外方に折り曲げ、口の前のアクリル板はコップ、箸やスプーンを使う十分なスキマを確保しておいて下方に折り曲げる。不自由なく飲食ができ，且つ肺に存在する新型コロナウイルスが体液を伴って発声によって口より飛散する飛沫をアクリル板に付着させて防止する。
【図面の簡単な説明】
【０００７】
【図１】  本実用新案の断面図である
【図２】  本実用新案の平面図である
【実用新案を実施するための形態】
【０００８】  人間の頭部に着脱可能なリングにアクリル板を取り付ける。目からのアクリル板が離れるほど見えにくく違和感を覚えるので、目の前は良好な視界を確保するため、適切な距離とする。鼻先あたりの高さで外方に折り曲げ、そして口の前でコップ，箸やスプーンの入るスキマ確保しておいて、下方に折り曲げる。口の高さよりおおむね１０〜１５ｃｍ下方に伸ばす。また、円周は側面の後方まで伸ばす。
また、外周にＬ型の折り返しを取り付けることも可能であり、飛沫の飛散をより防ぐことができる
【符号の説明】
【０００９】  １    リング
２    アクリル板
【図１】
0003233134.tif 000003
【図２】
0003233134.tif 000004
【手続補正書】
【提出日】令和3年3月5日(2021.3.5)
【手続補正１】
【補正対象書類名】実用新案登録請求の範囲
【補正対象項目名】全文
【補正方法】変更
【補正の内容】
【実用新案登録請求の範囲】
【請求項１】
リングにアクリル板を取り付け、アクリル板の途中から、アクリル板を外方に折り曲げて、次に下方に折り曲げた感染防止フェイスシールド。
(57)【要約】      （修正有）【課題】コップ形状に対する使用者の要求を満たす湾曲型保温コップを提供する。【解決手段】この考案の湾曲型保温コップは外部ケース１と、外部ケースの内部に位置している内部容器２を含む。外部ケースの上端部には上に向かって外径が逓減する傾斜型端部が形成され、内部容器の上端部には上部に向かって外径が逓減しクランク部を経て一定となる傾斜型開口部４が形成され、内部容器の傾斜型開口部は上部が外部ケースの傾斜型端部から斜め上方へ突出している。外部ケースと内部容器の頂部に傾斜型端部と傾斜型開口部がそれぞれ形成されることにより、湾曲型保温コップの開口は傾斜面に形成される。それにより湾曲型保温コップ内の液体を容易に飲むことができる上、湾曲型保温コップの構造が個性的な形状となり、使用の利便性がよく、かつ形状についての個性を求めている使用者の要求を満たすことができる。【選択図】図１
0003233118.tif 000002
【実用新案登録請求の範囲】
【請求項１】
外部ケース（１）と、外部ケース（１）の内部に位置している内部容器（２）を含む湾曲型保温コップであって、前記外部ケース（１）の上端部には上に向かって外径が逓減する傾斜型端部（３）が形成され、内部容器（２）の上端部には上に向かって外径が逓減し、クランク部を経て外径が一定となる傾斜型開口部（４）が形成され、内部容器（２）の傾斜型開口部（４）の上部は外部ケース（１）の傾斜型端部（３）から斜め上方へ突出していることを特徴とする湾曲型保温コップ。
【請求項２】
前記傾斜型端部（３）の内壁と内部容器（２）の上部のクランク部の外壁は溶接により固着されていることを特徴とする請求項１に記載の湾曲型保温コップ。
【考案の詳細な説明】
【技術分野】
【０００１】
この考案は湾曲型保温コップに関するものである。
【背景技術】
【０００２】
現在、販売されている保温コップは種類が多く、それらの設計も異なっているが、保温コップの上部の開口はいずれも、水平方向に形成されているので、コップ形状に対する使用者の個性的な要求を満たすことができない。
【考案の概要】
【考案が解決しようとする課題】
【０００３】
前記技術的課題を解決するため、この考案はコップ形状に対する使用者の個性的な要求を満たすことができる湾曲型保温コップを提供する。
【課題を解決するための手段】
【０００４】
この考案の湾曲型保温コップは、外部ケースと、外部ケースの内部に位置している内部容器を含む。前記外部ケースの上端部には上に向かって外径が逓減する傾斜型端部が形成され、内部容器の上端部には上に向かって外径が逓減しクランク部を経て一定となる傾斜型開口部が形成され、内部容器の傾斜型開口部は外部ケースの傾斜型端部から斜め上方へ突出している。
【０００５】
この考案の湾曲型保温コップにおいて、前記傾斜型端部の内壁と内部容器の上部の湾曲部の外壁は溶接により固着されている。
【考案の効果】
【０００６】
従来の技術と比較してみると、この考案の技術的事項により次のような考案の効果を獲得することができる。この考案の湾曲型保温コップの好適な構造によれば、外部ケースと内部容器の頂部に傾斜型端部と傾斜型開口部がそれぞれ形成されることにより、湾曲型保温コップの開口は傾斜面に形成される。それにより湾曲型保温コップ内の液体を容易に飲むことができる上、湾曲型保温コップの構造が個性的な形状となり、使用の利便性がよく、かつ形状についての個性を求めている使用者の要求を満たすことができる。
【図面の簡単な説明】
【０００７】
【図１】この考案の実施例に係る湾曲型保温コップの構造を示す図である。
【図２】この考案の実施例に係る湾曲型保温コップの外部ケースの構造を示す図である。
【図３】この考案の実施例に係る湾曲型保温コップの内部容器の構造を示す図である。
【考案を実施するための形態】
【０００８】
以下、図面と実施例によりこの考案の具体的な実施例をより詳細に説明する。下記実施例は、この考案を説明するものであるが、この考案を限定するものでない。
【０００９】
図１〜図３に示すとおり、湾曲型保温コップは外部ケース１と、外部ケース１の内部に位置している内部容器２を含む。前記外部ケース１の上端部には上に向かって外径が逓減する傾斜型端部３が形成され、内部容器２の上端部には上部に向かって外径が逓減しクランク部を経て一定となる傾斜型開口部４が形成され、内部容器２の傾斜型開口部４は上部が外部ケース１の傾斜型端部３から斜め上方へ突出している。
【００１０】
この考案の湾曲型保温コップにおいて、前記傾斜型端部３の内壁と内部容器２の上部のクランク部の外壁は溶接により固着されている。外部ケース１と内部容器２はステンレス材料で製造することができる。
【００１１】
この考案の湾曲型保温コップの好適な構造によれば、外部ケースと内部容器の頂部に傾斜型端部と傾斜型開口部がそれぞれ形成されることにより、湾曲型保温コップの開口は傾斜面に形成される。それにより湾曲型保温コップ内の液体を容易に飲むことができる上、湾曲型保温コップの構造が個性的な形状となり、使用の利便性がよく、かつ形状についての個性を求めている使用者の要求を満たすことができる。
【００１２】
以上、この考案の好適な実施例を詳述してきたが、注意されたいことは、この技術分野の技術者はこの考案の要旨を逸脱しない範囲内において設計の改良と変更等をすることができ、そのような設計の改良と変更等があってもこの考案に含まれることは勿論である。
【符号の説明】
【００１３】
１  外部ケース
２  内部容器
３  傾斜型端部
４  傾斜型開口部
【図１】
0003233118.tif 000003
【図２】
0003233118.tif 000004
【図３】
0003233118.tif 000005
(57)【要約】      （修正有）【課題】一般的な使い捨てプリーツ型マスクを用いて、マスクと顔との密着性を高め、且つマスクが口に触れないように鼻口部の空間をより広く確保して息苦しさや喋り難さを解消するマスクを、安価に提供する。【解決手段】ゴム糸等によるギャザー４をプリーツ型マスク１に施す。ギャザーが顔の凹凸に沿って伸縮、フィットして密着を高め、更にギャザーが引き寄せられて膨らみ、鼻口部に空間を生じさせる。【選択図】図４
0003233171.tif 000002
【実用新案登録請求の範囲】
【請求項１】
市販の使い捨てプリーツ型マスクに対して、鼻口部を囲むようにギャザーを施すことで、マスクと顔との密着性を高め、且つマスクが口に触れないようにマスク内の空間を確保するマスク。
【考案の詳細な説明】
【技術分野】
【０００１】  本考案は、市販の使い捨てプリーツ型マスクにギャザーを施すことで、マスクと顔との密着性を高めることと、口がマスクに触れない十分な空間をマスク内に確保して息苦しさや喋り難さを解消することの、２つの効果を兼ね備えたマスクである。
【背景技術】
【０００２】  一般的なプリーツ型のマスクは、プリーツの両端を接着して中央部を広げるようにすることで、鼻口部分を覆う空間が前に膨らむようになっており、マスク上部には、マスクを鼻にフィットさせる為にワイヤーが入っている物が殆どである。
【先行技術文献】
【特許文献】
【０００３】
【特許文献１】特開２００１−３１４５２０
【特許文献２】特開２００１−２６９４１８
【特許文献３】特開２００９−２３３３０７
【考案の概要】
【考案が解決しようとする課題】
【０００５】  しかしながら一般的なプリーツ型のマスクは、マスク横部の隙間や、装着時のワイヤーの曲げ忘れや曲げ方が不十分であることに起因した鼻部の隙間が生じ易く、密着するとは言い難い。【０００６】  また、プリーツで確保できる鼻口部を覆う空間は狭く、呼吸時や会話時にはマスクが口に触れて息苦しさや不快感が生じる。市販されている医療用のＮ９５マスクや防塵マスクでも立体的な形状でマスク内の空間が広く確保されている製品もあるが、一般的なプリーツ型マスクに比べて価格が高価である。
【課題を解決するための手段】
【０００７】  本考案ではプリーツ型マスクに対して、鼻口部を覆うようにマスク中央部にゴム糸による菱形のギャザーを施すことで、マスク地が顔の凹凸に沿って伸縮、フィットして密着性を高める他、ギャザーが引き寄せられて膨らむことで口部に空間を生じさせることで上記の課題を解消する。
【考案の効果】
【０００８】  一般的に流通している使い捨て型プリーツマスクに本考案を施すことで密着性が向上するので、安価に感染防止対策の底上げができる。一般的なプリーツマスクよりも鼻口部の空間が大きく確保できることから、呼吸が楽になり会話がし易くなる。更に、呼吸が楽になることでマスク越しに吸込む吸引力も小さくなり、マスク越しにウィルスを吸込むリスクを軽減することが期待できる。
【図面の簡単な説明】
【０００９】
【図１】本考案マスクの正面図（写真代用）
【図２】本考案マスクの裏面図（写真代用）
【図３】本考案マスクの側面図（写真代用）
【図４】本考案マスクの部品図
【考案を実施するための形態】
【００１０】  図１、図２，図３は本案件の全体のイメージである。市販の使い捨てプリーツマスクに対して、鼻口部を覆う箇所を囲むようにギャザーを施している。
【実施例】
【００１１】  添付図４に従って実施例を説明する。
１は市販の使い捨てプリーツ型マスク。２は１の購入時点で既に施されているプリーツであり製品によって位置や本数は異なる。３は１の購入時点で既に施されているワイヤー。４は下糸にゴム糸等を用いたギャザーであり、口鼻部を覆うように菱形を形成するように施す。５は４の菱形上部の頂点でありマスク地横辺の中央部になるように位置を決める。６は４の菱形下部であるが顎に掛かり易いよう、１〜２ｃｍの直線にする。
【符号の説明】
【００１２】１  プリーツマスク
２  プリーツ
３  ワイヤー
４  ギャザーを施す箇所
５  ギャザー上部の頂点
６  ギャザー下部の直線
【図１】
0003233171.tif 000003
【図２】
0003233171.tif 000004
【図３】
0003233171.tif 000005
【図４】
0003233171.tif 000006
(57)【要約】      （修正有）【課題】トラックやトレーラー等の自動車に搭載できる車載用テント及び車載用テントを搭載した自動車を提供する。【解決手段】軽トラック６の荷台に搭載または軽トラック６に牽引されるトレーラーに搭載され、軽トラック６の荷台もしくは軽トラック６に牽引されるトレーラーから水平方向に引出し可能で、脱着式もしくは折畳み式の支持脚を備えた折畳み式テント取付部と折畳み式テント４とを備え、それらの柱や板で構成された筐体７の上部には荷台５を有する。【選択図】図４
0003233175.tif 000002
【実用新案登録請求の範囲】
【請求項１】
トラックやトレーラー等の自動車に搭載されるテントであって、柱や板で構成された筐体と、折畳み式テント取付部と荷重を支える支持脚とを備えた引出し構造部と、前記筐体の上部に位置する荷台または同様な機能を有するカバー等を備えることを特徴とする車載用テント。
【請求項２】
トラックやトレーラー等の自動車に搭載されるテントであって、柱や板で構成された筐体と、折畳み式テント取付部と荷重を支える支持脚とを備えた引出し構造部と、前記筐体の上部に位置する荷台または同様な機能を有するカバー等を備えることを特徴とする車載用テント、を搭載した自動車。
【考案の詳細な説明】
【技術分野】
【０００１】
本考案は、車載用テント及び車載用テントを装備したトラックやトレーラー等の自動車に関するものである。
【背景技術】
【０００２】
従来、下記特許文献１に記載のあるようにルーフ上において展開させてルーフ上に設営するタイプのルーフテントが知られている。しかしトラックやトレーラー等の自動車では取付するルーフの広さやルーフが無いなどの問題で搭載できないなどの不都合があった。
【先行技術文献】
【特許文献】
【０００３】
【特許文献１】実登３２２６３３３
【考案の概要】
【考案が解決しようとする課題】
【０００４】
本考案が解決しようとする課題は、トラックやトレーラー等の自動車に搭載できる車載用テント及び車載用テントを搭載した自動車を提供することにある。
【課題を解決するための手段】
【０００５】
本考案は、前記課題を解決するためになされたもので、トラックやトレーラー等の自動車に積載されるテントであって、柱や板などで構成された筐体と、折畳み式テント取付部と荷重を支える支持脚を備えた引出し構造部と、前記筐体の上部に位置する荷台または同様な機能を有するカバー等を備えることを特徴とする車載用テントである。
【考案の効果】
【０００６】
本考案の車載用テント及び車載用テントを搭載した自動車によれば、トラックやトレーラー等の自動車においても車載用テントの搭載が可能となり、車載用テントを使用することができる。
【図面の簡単な説明】
【０００７】
【図１】図１は車載用テントの斜視図である。（実施例１）
【図２】図２は車載用テントを軽トラックに装着した斜視図である。（実施例２）
【図３】図３は車載用テントの折畳み式テントを展開した斜視図である。（実施例３）
【図４】図４は要約の説明図（選択図）である。
【符号の説明】
【０００８】
１  折畳み式テント取付部
２  ガイド
３  支持脚
４  折畳み式テント
５  荷台
６  軽トラック
７  筐体
【図１】
0003233175.tif 000003
【図２】
0003233175.tif 000004
【図３】
0003233175.tif 000005
【図４】
0003233175.tif 000006